(57)【要約】【課題】  従来のディジタルカメラの接写は、植物の部位等を目と鼻の先の距離を撮影することが多かったが、現在は紙面上に印刷された文字などを認識する機能であるＯＣＲ（光学式文字認識）等を実行するために、被写体（紙面）により近い距離で撮影する必要性があるという課題点があった。【解決手段】  レンズの光軸の周りに回動する調整リングに溝の深さが最大の下段部及びこの下段部に隣り合う最小の上段部、並びに下段部に隣り合って上段部とは反対側に中間の中間部を形成し、調整リングを回動させることにより、下段部から上段部又は中間部にレンズの保持部材に設けられた突起部をスライドさせ、レンズの保持部材を光軸の方向に移動させるようにしたものである。【選択図】        図１
2005292368.tif 000002
【特許請求の範囲】
【請求項１】
レンズと、このレンズの光軸の方向に配置された撮像センサと、前記レンズを保持する保持部材と、前記撮像センサと前記保持部材との間の前記撮像センサ上に設けられ、前記光軸を内包する第１円筒部と、前記保持部材に固定され、前記第１円筒部内に装着される第２円筒部と、前記保持部材と前記第１円筒部との間の第２円筒部を嵌挿し、前記光軸の周りに回動する調整リングと、前記保持部材に固定され、前記光軸の方向であって、前記第２円筒部の外表面上に延びた突起部とを具備し、この突起部に対向して前記調整リングに溝の深さが最大の下段部及びこの下段部に隣り合う最小の上段部、並びに前記下段部に隣り合って前記上段部とは反対側に中間の中間部を形成し、前記調整リングを回動させることにより、前記下段部から前記上段部又は前記中間部に前記突起部をスライドさせ、前記保持部材を前記光軸の方向に移動させるようにした撮像装置。
【請求項２】
前記調整リングの前記下段部と前記上段部及び前記中間部との間にそれぞれテーパ部を形成し、前記上段部及び前記中間部の端部にはそれぞれストッパを設け、前記調整リングの回動を停止させるようにした請求項１に記載の撮像装置。
【発明の詳細な説明】
【技術分野】
【０００１】
この発明は、デジタルカメラ、携帯電話及びＰＤＡ等に用いられるマクロ撮影切り替え機構を備えた撮像装置に関するものである。
【背景技術】
【０００２】
従来、マクロ撮影切り替え機構を備えた撮像装置は、レンズの保持部材と撮像センサのホルダーとの間に設けられた調整リングの溝が撮像センサのホルダーに設けられた突起部と当接しているので、調整リングを回動させることで、レンズの光軸方向にレンズの保持部材が移動し、レンズと撮像センサとの距離が変化して、マクロ撮影の焦点調整が行われるものがある（例えば、特許文献１参照）。
【特許文献１】特開２００１−０３３６８６号公報（第１図）
【発明の開示】
【発明が解決しようとする課題】
【０００３】
マクロ撮影切り替え機構は接写を行う機構である。従来の接写は、植物の部位等を目と鼻の先の距離を撮影することが多かったが、現在は紙面上に印刷された文字などを認識する機能であるＯＣＲ（光学式文字認識）等を実行するために、被写体（紙面）により近い距離で撮影する必要性がある。しかし、特許文献１のマクロ撮影切り替え機構では、一種類のマクロ撮影の焦点距離しか調整できず、撮影距離が制限され、上記の２種類の距離の接写を実現することが難しいという課題点があった。
【０００４】
この発明は、上記のような課題点を解消するためになされたもので、マクロ撮影切り替え機構を大型化させることなしに、簡便な機構で２種類の距離の接写が可能である撮像装置を提供することを目的とする。
【課題を解決するための手段】
【０００５】
請求項１の発明に係る撮像装置は、レンズと、このレンズの光軸の方向に配置された撮像センサと、前記レンズを保持する保持部材と、前記撮像センサと前記保持部材との間の前記撮像センサ上に設けられ、前記光軸を内包する第１円筒部と、前記保持部材に固定され、前記第１円筒部内に装着される第２円筒部と、前記保持部材と前記第１円筒部との間の第２円筒部を嵌挿し、前記光軸の周りに回動する調整リングと、前記保持部材に固定され、前記光軸の方向であって、前記第２円筒部の外表面上に延びた突起部とを具備し、この突起部に対向して前記調整リングに溝の深さが最大の下段部及びこの下段部に隣り合う最小の上段部、並びに前記下段部に隣り合って前記上段部とは反対側に中間の中間部を形成し、前記調整リングを回動させることにより、前記下段部から前記上段部又は前記中間部に前記突起部をスライドさせ、前記保持部材を前記光軸の方向に移動させるようにしたものである。
【０００６】
請求項２の発明に係る撮像装置は、前記調整リングの前記下段部と前記上段部及び前記中間部との間にそれぞれテーパ部を形成し、前記上段部及び前記中間部の端部にはそれぞれストッパを設け、前記調整リングの回動を停止させるようにした請求項１に記載のものである。
【発明の効果】
【０００７】
以上のように、請求項１に係る発明によれば、通常の撮影状態から調整リングを一方に回動させることにより調整リングの溝の下段部と当接している突起部を上段部にスライドさせ、調整リングを他方に回動させることにより調整リングの溝の下段部と当接している突起部を中間部にスライドさせることにより通常撮影以外に焦点距離の異なる２種類の接写が可能であり、通常撮影から調整リングを同じ方向に回動させて、どちらか一方のマクロ撮影を経由して他方のマクロ撮影に段階的に切り替えることなく通常撮影から調整リングを回動させる方向により、直接、所望のマクロ撮影へ切り替えることができる撮像装置を得ることができる。
【０００８】
請求項２に係る発明によれば、調整リングの下段部と上段部及び中間部との間に、それぞれテーパ部が設けられているので突起部がスムーズにスライドでき、また上段部及び中間部の端部にはそれぞれストッパが設けられていることにより、突起部が調整リングの下段部から中間部又は上段部にスライドさせたとき、調整リングの回動を停止させることができる。またストッパの位置を調整することにより調整リングの回動量を調節できる撮像装置を得ることができる。
【発明を実施するための最良の形態】
【０００９】
実施の形態１．
以下、この発明の実施の形態１について図１乃至６を用いて説明する。図１は、実施の形態１による撮像装置の構成図であり、図１において１はレンズ、２はレンズ１の光軸の方向に配置された撮像センサ、３はレンズ１を保持する保持部材、４は撮像センサ上に設けられレンズの光軸を内包する第１円筒部、５は撮像センサ２と第１円筒部４との間に設けられたホルダー、６は保持部材３に固定されて第１円筒部４内に装着された第２円筒部、７は保持部材３と第１円筒部４との間の第２円筒部６を嵌め込み、レンズの光軸の周りに回動する調整リング、８はレンズの光軸の方向であって、第２円筒部６の外表面上に延びた突起部、９は調整リング７の下段部と上段部に設けられたテーパ部、１０は調整リング７の下段部と中間部に設けられたテーパ部、ａは中間部の溝の深さ、ｂは下段部の溝の深さである。図２は、実施の形態１による撮像装置の通常撮影構成図である。図３は、実施の形態１による撮像装置のマクロ撮影（距離Ｌ１とＬ２の間）構成図である。図４は、実施の形態１による撮像装置のマクロ撮影（距離Ｌ２以下）構成図である。図５は、実施の形態１による撮像装置の通常撮影時の解像力と撮影距離特性図である。図６は、実施の形態１による撮像装置の通常及びマクロ撮影時の解像力と撮影距離特性図である。図中、同一符号は、同一又は相当部分を示しそれらについての詳細な説明は省略する。
【００１０】
次に動作について説明する。図２より突起部８は調整リング７の下段部と当接しており撮像装置の通常撮影の焦点にレンズ１と撮像センサ２が位置している。図５に示す距離Ｌ１（通常撮影での焦点が合う限界距離）よりも遠い距離での解像力が十分得られており通常撮影が行える。しかし距離Ｌ１よりも近くでの解像力が落ちおり、距離Ｌ１よりも近距離での接写では焦点が合わないことが分かる。次に調整リング７を時計回りに回動すると、突起部８は調整リング７の下段部からスライドして中間部に移動し、突起部８が調整リング７の中間部と当接する（図３）。保持部材３がレンズ１の光軸の方向に移動し、レンズ１と撮像センサ２との距離が通常撮影時よりも広がり、焦点が図６に示す距離Ｌ１とＬ２の間に合うので、距離Ｌ１とＬ２の間で、解像力が十分得られ、距離Ｌ１とＬ２の間でのマクロ撮影が可能となる。マクロ撮影（距離Ｌ１とＬ２の間）から通常撮影の状態に戻すには、調整リング７を反時計回りに回動させればよい。つまり突起部８が調整リング７の中間部から下段部にスライドするので、突起部８が調整リング７の下段部と当接し、通常撮影が可能となる。また調整リング７の下段部と中間部との間にテーパ部１０を形成することにより、突起部８の下段部から中間部への移動、若しくは中間部から下段部への移動をスムーズに実行できる。
【００１１】
距離Ｌ２よりも撮像装置に近接した接写をおこなう場合は、通常撮影の状態から調整リング７を反時計回りに回動すると、突起部８は調整リング７の下段部からスライドして上段部に移動し、突起部８が調整リング７の上段部と当接する（図４）。保持部材３がレンズ１の光軸の方向に移動し、レンズ１と撮像センサ２との距離が上記の距離Ｌ１とＬ２間のマクロ撮影時よりも広がり、焦点が図６に示す距離Ｌ２以下で合うので、距離Ｌ２以下で、解像力が十分得られ、距離Ｌ２以下でのマクロ撮影が可能となる。マクロ撮影（距離Ｌ２以下）から通常撮影の状態に戻すには、調整リング７を時計回りに回動させればよい。つまり突起部８が調整リング７の上段部から下段部にスライドするので、突起部８が調整リング７の下段部と当接し、通常撮影が可能となる。また調整リング７の下段部と上段部との間にテーパ部９を形成することにより、突起部８の下段部から上段部への移動、若しくは上段部から下段部への移動をスムーズに実行できる。
【００１２】
撮像装置に付勢部材を設けて突起部８と調整リング７とが当接するように付勢すると、突起部８を調整リング７の上段部又は中間部から下段部にスライドさせたとき、つまりマクロ撮影から通常撮影状態に変更したときでも、付勢部材により突起部８と調整リング７が確実に当接する。また複数ヶ所に調整リング７の上段部、下段部及び中間部の溝を調整リング７の中心点（レンズ１の光軸が調整リング７の断面と交差する点）に対して点対称になる位置に設けて、それに合わせた位置に突起部８を複数ヶ所に設けることにより調整リング７の回動による動作をさらに安定させてもよい。
【００１３】
実施の形態２．
この発明の実施の形態２について図１乃至６を用いて説明する。図中、同一符号は、同一又は相当部分を示しそれらについての詳細な説明は省略する。動作は実施の形態１と同様である。調整リング７の溝の上段部及び中間部の端部にそれぞれストッパ（図中に記載になし）を設けたことにより、通常撮影からマクロ撮影（距離Ｌ１とＬ２の間）に切り替えるとき、調整リング７を時計回りに回動すると、突起部８は調整リング７の下段部からスライドして中間部に移動し、突起部８が調整リング７の中間部と当接して中間部の端部に設けられたストッパによりそれ以上回動しない。また通常撮影からマクロ撮影（距離Ｌ２以下）に切り替えるとき、調整リング７を反時計回りに回動すると、突起部８は調整リング７の下段部からスライドして上段部に移動し、突起部８が調整リング７の上段部と当接して上段部の端部に設けられたストッパによりそれ以上回動しない。最後にマクロ撮影（距離Ｌ１とＬ２の間）又はマクロ撮影（距離Ｌ２以下）から通常撮影の状態に戻すには、調整リング７を反時計回り又は時計回りに回動させればよい。つまり突起部８が調整リング７の中間部又は上段部から下段部にスライドするので、突起部８が調整リング７の下段部と当接し、通常撮影が可能となる。
【図面の簡単な説明】
【００１４】
【図１】この発明の実施の形態１，２による撮像装置の構成図
【図２】この発明の実施の形態１，２による撮像装置の通常撮影構成図
【図３】この発明の実施の形態１，２による撮像装置のマクロ撮影（距離Ｌ１とＬ２の間）構成図
【図４】この発明の実施の形態１，２による撮像装置のマクロ撮影（距離Ｌ２）構成図
【図５】この発明の実施の形態１，２による撮像装置の通常撮影時の解像力と撮影距離特性図
【図６】この発明の実施の形態１，２による撮像装置の通常及びマクロ撮影時の解像力と撮影距離特性図
【符号の説明】
【００１５】
１…レンズ  ２…撮像センサ  ３…保持部材  ４…第１円筒部  ５…ホルダー
６…第２円筒部  ７…調整リング  ８…突起部  ９…テーパ部  １０…テーパ部
ａ…中間部の溝の深さ  ｂ…中間部の溝の深さ
【図１】
2005292368.tif 000003
【図２】
2005292368.tif 000004
【図３】
2005292368.tif 000005
【図４】
2005292368.tif 000006
【図５】
2005292368.tif 000007
【図６】
2005292368.tif 000008